(57)【要約】昼間でも視認性の高い表示を行うことができる表示装置を提供する。  ケース３１内に、ＬＥＤ素子３３ａ，３４，３５を搭載したプリント基板３２と、ＬＥＤ素子３３ａ，３４，３５の発光光を反射しながら伝達して出射する反射部材２６ａ，２６ｂ，２６ｃと、各反射部材２６ａ，２６ｂ，２６ｃの開口側にそれぞれ形成された価格用表示板２２、ホット用表示板２３、コールド用表示板２４と、各表示板２２，２３，２４に接して形成された光を拡散する拡散部材２５と、基板上のＬＥＤ素子３３ａ，３４，３５の周辺に形成された光吸収部材３６とを備える。入射した光は、光吸収部材３６により吸収され、外部に出射する光量が少なくなるため、出射光４０のコントラストが相対的に強くなるので、各表示板２２，２３，２４の視認性がよくなる。
2005013246.tif 000002
【特許請求の範囲】
【請求項１】
基板上に設けられたＬＥＤ素子と、
前記ＬＥＤ素子の発光光を一端から導入し、その導入した前記発光光を一部反射させつつ他端から出射する筒状の反射面と、
前記ＬＥＤ素子の周辺に設けられ、前記反射面の前記他端側から入射する外光を吸収する光吸収部材とを備えたことを特徴とする表示装置。
【請求項２】
前記反射面は、筒状の反射部材の内面に形成されたことを特徴とする請求の範囲１に記載の表示装置。
【請求項３】
前記反射面は、透明または半透明からなる導光部材の外面に形成されたことを特徴とする請求の範囲１に記載の表示装置。
【請求項４】
前記反射面は、前記一端側の外周面に遮光部を備えたことを特徴とする請求の範囲１に記載の表示装置。
【請求項５】
前記光吸収部材は、前記基板上に形成されたことを特徴とする請求の範囲１に記載の表示装置。
【請求項６】
前記光吸収部材は、前記反射面の前記一端に形成されたことを特徴とする請求の範囲１に記載の表示装置。
【請求項７】
前記反射面の他端側は、ルーバを備えたことを特徴とする請求の範囲１に記載の表示装置。
【請求項８】
前記反射面の他端側は、前記外光の反射を低減する無反射部材を備えたことを特徴とする請求の範囲１に記載の表示装置。
【請求項９】
前記反射面の他端側は、光を拡散させる拡散部材を備えたことを特徴とする請求の範囲１に記載の表示装置。
【請求項１０】
前記拡散部材は、外側あるいは内側に凸状の曲面を有することを特徴とする請求の範囲９記載の表示装置。
【請求項１１】
前記拡散部材は、前記筒状の反射面の中心軸に対して直交する方向と異なる方向に形成されたことを特徴とする請求の範囲９記載の表示装置。
【請求項１２】
基板上に設けられた赤色系ＬＥＤ素子および青色系ＬＥＤ素子と、
前記赤色系ＬＥＤ素子の発光光を一端から導入し、その導入した前記発光光を一部反射させつつ他端から出射する第１の筒状の反射面と、
前記赤色系ＬＥＤ素子の周辺に設けられ、前記第１の反射面の前記他端側から入射する外光を吸収する第１の光吸収部材と、
前記第１の反射面の前記他端側に設けられ、ホット商品を示す文字を記した透明または半透明の第１の表示板と、
前記青色系ＬＥＤ素子の発光光を一端から導入し、その導入した前記発光光を一部反射させつつ他端から出射する第２の筒状の反射面と、
前記青色系ＬＥＤ素子の周辺に設けられ、前記第２の反射面の前記他端側から入射する外光を吸収する第２の光吸収部材と、
前記第２の反射面の前記他端側に設けられ、コールド商品を示す文字を記した透明または半透明の第２の表示板とを備えたことを特徴とする表示装置。
【請求項１３】
基板上にマトリックス状に配置され、所定のパターンを表示する複数のＬＥＤ素子と、
前記複数のＬＥＤ素子の発光光を一端から導入し、その導入した前記発光光を一部反射させつつ他端から出射する複数の筒状の反射面と、
前記複数のＬＥＤ素子のそれぞれの周辺に設けられ、前記複数の筒状の反射面の前記他端側から入射する外光を吸収する複数の光吸収部材と、
選択的にＬＥＤ素子を点灯して前記所定のパターンを表示させる制御部とを備えたことを特徴とする表示装置。
【請求項１４】
バスの前面、後面および側面に設置され、行先あるいは経由停留所名を表わす文字等を表示する表示装置において、
基板上にマトリックス状に配置され、前記文字等のパターンを表示する複数のＬＥＤ素子と、
前記複数のＬＥＤ素子の発光光を一端から導入し、その導入した前記発光光を一部反射させつつ他端から出射する複数の筒状の反射面と、
前記複数のＬＥＤ素子のそれぞれの周辺に設けられ、前記複数の筒状の反射面の前記他端側から入射する外光を吸収する複数の光吸収部材と、
選択的にＬＥＤ素子を点灯して前記文字等のパターンを表示させる制御部とを備えたことを特徴とする表示装置。
【請求項１５】
第１の色光を発光する第１のＬＥＤ素子と、
第２の色光を発光する第２のＬＥＤ素子と、
前記第１および第２のＬＥＤ素子から発光された前記第１および第２の色光を一端から導入し、その導入した前記発光光を一部反射させつつ他端から出射する筒状の反射面と、
前記第１および第２のＬＥＤ素子の周辺に設けられ、前記反射面の前記他端側から入射する外光を吸収する光吸収部材と、
前記他端側に形成され、前記第１の色光を透過させるとともに、前記第２の色光を遮光する第１の着色部、前記前第２の色光を透過させるとともに、前記第１の色光を遮光する第２の着色部、および前記第１および第２の色光を透過させる透光部とを備え、
前記第１のＬＥＤ素子の点灯によって前記第１の着色部および前記透光部により前記第１の色光からなる第１の表示パターンを表示し、前記第２のＬＥＤ素子の点灯によって前記第２の着色部および前記透光部により前記第２の色光からなる第２の表示パターンを表示することを特徴とする表示装置。
【請求項１６】
自動販売機における商品の金額表示を行う表示装置において、
基板上に設けられた複数のＬＥＤ素子と、
前記金額表示に対応して配置され、前記複数のＬＥＤ素子の発光光を一端から導入し、その導入した前記発光光を一部反射させつつ他端から出射する複数の筒状の反射面と、
前記複数のＬＥＤ素子の周辺に設けられ、前記複数の反射面の前記他端側から入射する外光を吸収する複数の光吸収部材とを備えたことを特徴とする表示装置。
【発明の詳細な説明】
【技術分野】  本出願は、日本国特許出願第２００３−２８６２６０号に基づいており、この各日本国出願の全内容は、本出願において参照され導入される。［技術分野］
本発明は、自動販売機における表示装置に関し、特に、昼間でも視認性の高い表示を行うことができる表示装置に関する。
【背景技術】  従来、自動販売機では、ホット商品とコールド商品を販売する場合、ＨＯＴ／ＣＯＬＤやあたたかい／つめたい等の文字、あるいは赤色／青色の色別表示を商品選択ボタンの近くに設置して購入者がホット商品とコールド商品を識別できるようにしている。
このような従来の表示装置として、例えば、電磁石により遠隔操作で表示を切り替えできるものが知られている（例えば、特開２００２−１５０３８１号公報参照。）
この特開２００２−１５０３８１号の表示装置は、Ｎ極に磁化された面に「ＣＯＬＤ」を表記し、Ｓ極に磁化された面に「ＨＯＴ」を表記した表示板を回転可能に商品選択ボタンの近くに設け、その表示板の後方に電磁石を配置して電磁石に流す電流の向きを切り替えることにより、表示板を反転させて「ＣＯＬＤ」あるいは「ＨＯＴ」の表記面が表に向くようにしたものである。この構成によれば、遠隔操作でホット／コールドの表示を切り替えることができるので、切替操作が容易となる。
しかし、特開２００２−１５０３８１号の表示装置によると、夜間は蛍光灯のみの照明となるため、視認性が悪くなる。
従って、本発明の目的は、昼間でも視認性の高い表示を行うことができる表示装置を提供することにある。
【発明の開示】
本発明は、上記目的を達成するため、基板上に設けられたＬＥＤ素子と、前記ＬＥＤ素子の発光光を一端から導入して反射させつつ他端から出射する筒状の反射面と、前記ＬＥＤ素子の周辺に前記反射面の前記他端側から入射する外光を吸収する光吸収部材とを備えたことを特徴とする表示装置を提供する。
この構成によれば、入射した光は、光吸収部材により吸収されるため、入射した光の反射が弱められ、発光光は筒状の反射面を反射するので、入射光よりも発光光のコントラストが強くなる。
本発明は、上記目的を達成するため、基板上に設けられた赤色系ＬＥＤ素子および青色系ＬＥＤ素子と、前記赤色系ＬＥＤ素子の発光光を一端から導入して反射させつつ他端から出射する第１の筒状の反射面と、前記赤色系ＬＥＤ素子の周辺に前記第１の反射面の前記他端側から入射する外光を吸収する第１の光吸収部材と、前記第１の反射面の前記他端側に設けられ、ホット商品を示す文字を記した透明または半透明の第１の表示板と、前記青色系ＬＥＤ素子の発光光を一端から導入して他端側から出射する第２の筒状の反射面と、前記青色系ＬＥＤ素子の周辺に前記第２の反射面の前記他端側から入射する外光を吸収する第２の光吸収部材と、前記第２の反射面の前記他端側に設けられ、コールド商品を示す文字を記した透明または半透明の第２の表示板とを備えたことを特徴とする表示装置置を提供する。
この構成によれば、外部から第１および第２の導光部に入射した光は、光吸収部材により吸収され、入射した光の反射が弱められるため、入射した光の外部への出射が弱められるので、第１の表示板および第２の表示板を照射する光が弱められる。
本発明は、上記目的を達成するため、基板上にマトリックス状に配置され、所定のパターンを表示する複数のＬＥＤ素子と、前記複数のＬＥＤ素子の発光光を一端から導入して反射させつつ他端から出射する複数の筒状の反射面と、前記複数のＬＥＤ素子のそれぞれの周辺に前記複数の筒状の反射面の前記他端側から入射する外光を吸収する複数の光吸収部材と、選択的にＬＥＤ素子を点灯して前記所定のパターンを表示させる制御部とを備えたことを特徴とする表示装置を提供する。
この構成によれば、外部から入射した外光は、光吸収部材により吸収されるので、外光が弱められるため、発光光のコントラストが強くなる。
本発明は、上記目的を達成するため、バスの前面、後面および側面に設置され、行先あるいは経由停留所名を表わす文字等を表示する表示装置において、基板上にマトリックス状に配置され、前記文字等のパターンを表示する複数のＬＥＤ素子と、前記複数のＬＥＤ素子の発光光を一端から導入して反射させつつ他端から出射する複数の筒状の反射面と、前記複数のＬＥＤ素子のそれぞれの周辺に前記複数の筒状の反射面の前記他端側から入射する外光を吸収する複数の光吸収部材と、選択的にＬＥＤ素子を点灯して前記文字等のパターンを表示させる制御部とを備えたことを特徴とする表示装置を提供する。
この構成によれば、外部から入射した外光は、光吸収部材により吸収されるので、外光が弱められるため、発光光のコントラストが強くなり、文字等のパターンが明瞭に見える。
本発明は、上記目的を達成するため、第１の色光を発光する第１のＬＥＤ素子と、第２の色光を発光する第２のＬＥＤ素子と、前記第１および第２のＬＥＤ素子から発光された前記第１および第２の色光を一端から導入して反射させつつ他端から出射する筒状の反射面と、前記第１および第２のＬＥＤ素子の周辺に前記反射面の前記他端側から入射する外光を吸収する光吸収部材と、前記他端側に形成され、前記第１の色光を透過させるとともに、前記第２の色光を遮光する第１の着色部、前記前第２の色光を透過させるとともに、前記第１の色光を遮光する第２の着色部、および前記第１および第２の色光を透過させる透光部とを備え、前記第１のＬＥＤ素子の点灯によって前記第１の着色部および前記透光部により前記第１の色光からなる第１の表示パターンを表示し、前記第２のＬＥＤ素子の点灯によって前記第２の着色部および前記透光部により前記第２の色光からなる第２の表示パターンを表示することを特徴とする表示装置を提供する。
この構成によれば、第１の色光により第１の表示パターンを、第２の色光により第２の表示パターンを表示することができる。
本発明は、上記目的を達成するため、自動販売機における商品の金額表示を行う表示装置において、基板上に設けられた複数のＬＥＤ素子と、前記金額表示に対応して配置され、前記複数のＬＥＤ素子の発光光を一端から導入して反射させつつ他端から出射する複数の筒状の反射面と、前記複数のＬＥＤ素子の周辺に前記複数の反射面の前記他端側から入射する外光を吸収する複数の光吸収部材とを備えたことを特徴とする表示装置。を提供する。
この構成によれば、外部から入射した外光は、光吸収部材により吸収されるので、外光が弱められるため、発光光のコントラストが強くなり、商品の金額表示が明瞭になる。
【図面の簡単な説明】  第１図は、本発明の第１の実施の形態に係る自動販売機の斜視図である。
第２図は、本発明の第１の実施の形態に係る自動販売機の表示装置により表示される商品情報の例を示し、（ａ）は実際に見える表示の例を、（ｂ）は価格用表示板を、（ｃ）はホット用表示板を、（ｄ）はコールド用表示板を示す図である。
第３図は、第１の実施の形態に係る自動販売機の表示装置を示し、（ａ）は第２図（ａ）のＡ−Ａ線に沿う断面図、（ｂ）は第３図（ａ）のＢ−Ｂ線に沿う断面図である。
第４図は、本発明の第１の実施の形態に係る自動販売機の表示装置の動作の説明図である。
第５図は、本発明の第２の実施の形態に係る自動販売機の表示装置を示す断面図である。
第６図は、本発明の第３の実施の形態に係る自動販売機の表示装置を示す断面図である。
第７図は、本発明の第４の実施の形態に係る自動販売機の表示装置を示し、（ａ）は拡散部材を通して見えるコールド用表示板を示す図、（ｂ）はその縦断面図である。
第８図は、本発明の第５の実施の形態に係る自動販売機の表示装置を示し、（ａ）は拡散部材を通して見えるコールド用表示板を示す図、（ｂ）はその縦断面図である。
第９図は、本発明の第６の実施の形態に係る自動販売機の表示装置の縦断面図である。
第１０図は、本発明の第７の実施の形態に係る自動販売機の表示装置の縦断面図である。
第１１図は、本発明の第８の実施の形態に係る自動販売機の表示装置の縦断面図である。
第１２図は、本発明の第９の実施の形態に係る自動販売機の表示装置の縦断面図である。
第１３図は、本発明の第１０の実施の形態に係る自動販売機の表示装置に用いられる拡散部材の配置を示す模式図であり、（ａ）は、反射部材内に凹む凹面に設けられた拡散部材を示す図、（ｂ）は、垂直に配置した拡散部材を示す図、（ｃ）は、反射部材から外方に突出する凸面に設けれた拡散部材を示す図である。
第１４図は、本発明の第１１の実施の形態に係る自動販売機の表示装置に用いられる拡散部材の配置を示す模式図である。
第１５図は、本発明の第１２の実施の形態に係る自動販売機の表示装置に用いられる拡散部材の配置を示す模式図である。
第１６図は、本発明の第１３の実施の形態に係る自動販売機の表示装置に用いられる拡散部材２５の配置を示す模式図である。
第１７図は、本発明の第１４の実施の形態に係る表示装置を示し、（ａ）は、拡大正面図、（ｂ）は、（ａ）の縦断面図である。
第１８図は、本発明の第１５の実施の形態に係るバス行先表示装置を示す図であり、（ａ）は、バス全体の側面図、（ｂ）は、バスの正面の一部を示す正面図、（ｃ）は、バスの後面の一部を示す背面図、（ｄ）は、側面の一部を示す側面図である。
第１９図は、本発明の第１６の実施の形態に係る表示装置の断面図である。
第２０図は、第１６の実施の形態に係る表示装置に使用される表示板を示し、（ａ）は、表示板の正面図、（ｂ）は（ａ）のＤ−Ｄ線に沿う断面図である。
図２１は、第１６の実施の形態に係る表示装置に使用される表示板による表示例を示し、（ａ）は、ある色による表示例、（ｂ）は、他の色の光による表示例を示す正面図である。
【発明を実施するための最良の形態】［第１の実施の形態］
第１図は、本発明の第１の実施の形態に係る自動販売機を示す。この自動販売機１は、ホット商品およびコールド商品を販売するものであり、略箱型状の自動販売機本体２と、この自動販売機本体２の前面に設けられた主扉３とを備える。この主扉３は、透明パネル８と、この透明パネル８の内側に形成された展示スペース９と、紙幣および硬貨を投入する現金投入部４と、釣銭を返却する釣銭返却口５と、商品を取り出すため商品販売口６と、広告等を表示する電照板７とを備える。
展示スペース９は、複数の商品見本１１と、各商品見本１１に対応して各商品に関する情報を表示する表示装置２０Ａと、各商品見本１１に対応する商品を選択する選択ボタン２１とを備える。
第２図は、表示装置２０Ａにより表示される商品情報の例を示し、（ａ）は、実際に見える表示の例を示し、（ｂ）は価格用表示板を、（ｃ）はホット用表示板を、（ｄ）はコールド用表示板をそれぞれ表わす。価格用表示板２２は、透明部材からなり、「￥」表示窓２２ａ、数字窓２２ｂ、２２ｃ、２２ｄ以外の領域を黒色印刷して不透光領域としたものである。価格用表示板２２は、その後側に拡散部材２５が接して取り付けられている。「￥」表示窓２２ａは、図示しないＬＥＤ素子により紙面の裏側から点灯され、「￥」を自動販売機１の外部から認識できるようになっている。数字窓２２ｂ、２２ｃ、２２ｄは、拡散部材２５が露出している。拡散部材２５は、後述するＬＥＤ素子の発光光の組合わせにより数字が表示されるようになっている。
ホット用表示板２３は、第２図（ｃ）に示すように、たとえば、「あたたかい」というホット商品を示す文字２３ａが表記されている。ホット商品の場合、紙面の後側からＬＥＤ素子を点灯することにより、黒色系の「あたたかい」という文字２３ａが見えるようになっている。コールド用表示板２４は、第２図（ｄ）に示すように、たとえば、「つめたい」というコールド商品を示す文字２４ａが表記されている。コールド商品の場合、紙面の後側からＬＥＤ素子を点灯することにより、黒色系の「つめたい」という文字２４ａが見えるようになっている。
第３図は、表示装置を示し、（ａ）は、第２図（ａ）のＡ−Ａ線に沿う断面を示し、第３図（ｂ）は、第３図（ａ）のＢ−Ｂ線に沿う断面を示す。表示装置２０Ａは、ケース３１内に、７セグメントの各セグメントを表示するＬＥＤ素子３３ａと、光を発光する赤色ＬＥＤ素子３４、青色ＬＥＤ素子３５を搭載したプリント基板３２と、ＬＥＤ素子３３ａ、３３ａ、３３ａの発光光を伝達して出射する反射部材２６ａ、２６ａ、２６ａと、赤色ＬＥＤ素子３４の発光光を伝達して出射する反射部材２６ｂと、青色ＬＥＤ素子３５の発光光を伝達して出射する反射部材２６ｃと、各反射部材２６ａ、２６ｂ、２６ｃの開口側にそれぞれ設けられた価格用表示板２２、ホット用表示板２３およびコールド用表示板２４と、各表示板２２、２３、２４に接して設けられた光を拡散する拡散部材２５と、プリント基板３２上のＬＥＤ素子３３ａ、３４、３５の周辺に設けられた光吸収部材３６とを備える。なお、ＬＥＤ素子３３ａ、３４、３５は、ベアチップでも、チップＬＥＤでも、ディスクリートＬＥＤでもよい。またＬＥＤ素子３３ａ、３４、３５は、反射部材２６ａ、２６ｂ、２６ｃに対して複数設けてもよく、発光色が異なっていてもよい。
反射部材２６ａは、断面が細長い略矩形状である筒状体であり、７セグメントによる数字表示を行うように配列されている。ＬＥＤ素子３３ａ、３３ａ・・・は、各反射部材２６ａ、２６ａ、・・・に対応してプリント基板３２上に設けられている。
反射部材２６ａ、２６ｂ、２６ｃは、例えば、内面に鏡面仕上げを施してある金属管で形成する。この反射部材２６ａ、２６ｂ、２６ｃは、光を反射するが、乱反射しないものである。なお、反射部材２６ａ、２６ｂ、２６ｃは、筒状体、例えば、プラスチック管に金属を蒸着して反射面を形成したものであってもよい。
光吸収部材３６は、光の反射率の低い、例えば、カーボンをプリント基板３２上に塗布する。なお、光反射率の低い黒色の塗料を塗布してもよい。また、表面積が大きい黒色の微細多孔質からなるものにより形成してもよい。
選択ボタン２１は、選択ボタンケース２１ａと、押ボタン２１ｂと、選択信号を制御部に出力するスイッチ素子、販売ＬＥＤ素子、売切れＬＥＤ素子およびスイッチ素子等を搭載する回路基板とを備え、補強部材３８を介して透明パネル８に取り付けられる。
ケース３１は、図示しない支持手段および取付け手段により展示スペース９内の適宜個所に固定される。
第４図は、本発明の実施の形態に係る自動販売機の表示装置２０Ａの動作の説明図であり、第３図に示す青色ＬＥＤ素子３５とその反射部材２６ｃ付近を示す。青色ＬＥＤ素子３５による出射光４０は、反射部材２６ｃ中を直接進行する直接光４１と、反射部材２６ｃの内面を全反射して進行する反射光４２とが合わさったものである。自動販売機１の外からの入射光４３は、コールド用表示板２４および拡散部材２５を通過して、反射部材２６ａにより反射しながら光吸収部材３６に到達する。光吸収部材３６の光反射率が低いため、入射光４３は、光吸収部材３６により吸収される。
ＬＥＤ素子３５が点灯していないとき、外部からコールド用表示板２４を透過して入射した光４３は、光吸収部材３６により吸収されるため、入射した光４３の反射が弱められるので、コールド用表示板２４全体が黒く見える。従って、各表示板２３、２４に黒色系で表示されている文字２３ａ、２４ａは、黒の背景に黒色系の文字が印刷されているため、外部からは見えにくくなる。
上記の第１の実施の形態によれば、以下の効果を奏する。
（イ）入射光４３は、光吸収部材３６に吸収されるため、ＬＥＤ素子３３ａ、３４、３５の発光、非発光時に外部から見た拡散部材２５でのコントラストは、入射光４３が反射して再び外部に出射する場合と比較して非常に大きくなるので、各表示板２２、２３、２４の表示が見やすくなる。
（ロ）ＬＥＤ素子３３ａ、３４、３５の発光時に、ＬＥＤ素子３３ａ、３４、３５の発光光に外部からの入射光４３がほとんど混入しないため、出射光４０の色度がほとんど変化しないので、特に２色以上のＬＥＤ素子を発光させる場合には、混色のコントロールを確実に行うことができる。
（ハ）ＬＥＤ素子３３ａ、３４、３５の発光光は、反射光４２および直接光４１が拡散部材２５に到達するため、ＬＥＤ素子３３ａ、３４、３５からの光のほぼ１００パーセントを利用することができるので、各表示板２２、２３、２４が明るく照射され、各表示板２２、２３、２４の表示の視認性が向上する。
（ニ）ホットあるいはコールドを表示するＬＥＤ素子３４、３５が発光していないとき、ホットあるいはコールドを表示する表示板２３、２４全体が黒の背景となるため、ホットあるいはコールドを表示する表示板２３、２４の黒色系の文字を見ることができないのに対し、ホットあるいはコールドを表示するＬＥＤ素子３４、３５を発光させたとき、ホットあるいはコールドを表示する表示板２３、２４の黒色系の文字とホットあるいはコールドを表示するＬＥＤ素子３４、３５の発光色を視認することができるため、商品に関する情報を得ることができる。
（ホ）ＬＥＤ素子３３ａ、３４、３５の発光光は、種々の角度を持った光の反射光４２および直接光４１が拡散部材２５に到達するため、拡散部材２５により光が分散され、指向性の少ない光で表示板２２、２３、２４を均一に照射するので、各表示板２２、２３、２４の表示が見やすくなる。
（ヘ）プリント基板３２に光吸収部材３６を直接設けることができるため、光吸収部材３６を別途支持する部材が不要となり、部品点数を削減することができる。
（ト）ホットあるいはコールドを表示するＬＥＤ素子３４、３５によりホット用表示板２３およびコールド用表示板２４を照射するため、ＬＥＤ素子３４、３５を切り替えるだけでホット／コールドの表示の切替が容易にできる。
［第２の実施の形態］
第５図は、本発明の第２の実施の形態に係る自動販売機の表示装置を示す。この表示装置２０Ｂは、第４図に示す第１の実施の形態に係る表示装置２０Ａでは、筒状の反射部材２６ｃとしているのに対し、反射部材２６ｃを円錐台形状に形成して、この内面を反射面とするものである。なお、拡散部材２５およびコールド用表示板２４は、省略してあるが、それらを使用してもよい。
この第２の実施の形態によれば、以下の効果を奏する。
（イ）反射部材２６ｃを円錐台形状に形成して、広範囲に光を分散させるため、ＬＥＤ素子の出射光４０を広い範囲でコントラストを大きくすることができるので、出射光４０による表示が見やすくなる。
（ロ）反射部材２６ｃに光吸収部材３６を直接形成するため、光吸収部材３６を別途支持する部材が不要となり、部品点数を削減することができる。
［第３の実施の形態］
第６図は、本発明の第３の実施の形態に係る自動販売機の表示装置を示す。この表示装置２０Ｃは、反射部材２６ｃを球状に形成したものである。これによれば、反射部材２６ｃを球状に形成したため、外部から反射部材２６ｃ内に入射する光の量を低減することができ、ＬＥＤ素子３５の出射光４０のコントラストを大きくすることができるので、出射光４０による表示が見やすくなる。
［第４の実施の形態］
第７図は、本発明の第４の実施の形態に係る自動販売機の表示装置を示し、（ａ）は、拡散部材２５を通して見えるホット用表示板２３およびコールド用表示板２４を示し、（ｂ）は、その縦断面を示す。この表示装置２０Ｄは、第４図に示す第１の実施の形態に係る表示装置２０Ａでは、反射部材２６ｃの内面を反射面として用いたのに対し、プリント基板３２に搭載されたＬＥＤ素子３５を中心として２つの反射部材２６ｂ，２６ｃを同心状に配しそれぞれの内面を反射面として用いたものである。
この第４の実施の形態によれば、２つの反射部材２６ｂ、２６ｃを同心状に配したため、２つの反射部材２６ｂ、２６ｃ内に入射する光の量を低減することができ、ＬＥＤ素子３５の出射光のコントラストを大きくすることができるので、出射光による表示が見やすくなる。
［第５の実施の形態］
第８図は、本発明の第５の実施の形態に係る自動販売機の表示装置を示し、（ａ）は、拡散部材２５を通して見えるコールド用表示板２４を示し、（ｂ）は、その縦断面を示す。この表示装置２０Ｅは、第４図に示す第１の実施の形態に係る表示装置２０Ａでは、筒状の反射部材２６ｃの内面を反射面として用いたのに対し、アクリル樹脂からなる導光部材５１を用いその内側で全反射する反射面を用い、導光部材５１のプリント基板３２側の側面に遮光部材５０を設けたものである。
この第５の実施の形態によれば、以下の効果を奏する。
（イ）プリント基板３２に光吸収部材３６を直接設けたため、光吸収部材３６を支持する部材が不要となり、部品点数を削減することができる。
（ロ）遮光部材５０を設けたため、外来光４４ａ、４４ｂを減少させることができ、光吸収部材３６による入射光４３の低減と相俟って、ＬＥＤ素子３４、３５の出射光４０のコントラストを大きくすることができるので、出射光４０による表示が見やすくなる。
［第６の実施の形態］
第９図は、本発明の第６の実施の形態に係る自動販売機の表示装置の断面を示す。この表示装置２０Ｆは、反射面３２ｂを形成した基板３２ａと、基板３２ａに搭載されたＬＥＤ素子３５と、ＬＥＤ素子３５近傍の基板３２ａ上に設けられた光吸収部材３６と、基板３２ａ上に設けられ光をその内面で反射する導光部材５１と、導光部材５１の外側に設けられ、外来光４４の入射を防ぐ遮光部材５０とを備える。
この第６の実施の形態によれば、第５の実施の形態に係る効果と同様の効果を奏する。なお、導光部材５１の断面積に対してＬＥＤ素子３５および反射面３２ｂの大きさは、できるだけ小さい方がよい。光吸収部材３６の設置面積および遮光部材５０の設置面積を広くすることにより、入射光４３を少なくすることができるとともに、少ない入射光４３は光吸収部材３６に吸収されやすくなるからである。
［第７の実施の形態］
第１０図は、本発明の第７の実施の形態に係る自動販売機の表示装置を示す。この表示装置２０Ｇは、第４図に示す第１の実施の形態に係る表示装置２０Ａでは、反射部材２６ｃの内面を反射面として用いたのに対し、導光部材５１の内面を反射面として用い、光出射端側に、無反射部材５４を備えたものである。
導光部材５１は、ＰＣ（ポリカーボネート）からなり、内部に光を入射し、その入射光４３を他端まで全反射によりおよび直接に進行させるように構成される。ＰＣ（ポリカーボネート）の代りにＰＭＭＡ（ポリメタクリル酸メチル（アクリル））、あるいはＡＢＳ（アクリロニトリルブタジエンスチレン）からなる導光部材５１を用いることができる。また、そのような材質からなり、透明、半透明、あるいは着色されたものでもよい。
透明部材５３は、ＰＣ（ポリカーボネート）からなり、拡散部材２５あるいは導光部材５１を保護するものである。ＰＣの代りにＰＭＭＡ（ポリメタクリル酸メチル（アクリル））、あるいはＰＥＴ（ポリエチレンテレフタレート）からなる透明部材５３を用いることができる。
無反射部材５４は、例えば、透明部材５３の表面にシボを形成し、透明部材５３に入射する入射光４３の位相をずらすことにより、入射光４３の入射する部材の表面の反射を減少させるもので、印刷または塗装により形成する。
拡散部材２５は、例えば、点光源として入射した入射光４３を拡散して面光源となるように分散して出射するもので、印刷または塗装により形成する。
この第７の実施の形態によれば、以下の効果を奏する。
（イ）光吸収部材３６による入射光４３の低減と相俟って、ＬＥＤ素子３５の出射光４０のコントラストを大きくすることができるので、出射光４０による表示が見やすくなる。
（ロ）ＬＥＤ素子３５の発光光は、反射面２６ｅにより、および直接拡散部材２５に到達して出射するするため、ＬＥＤ素子３５の発光光のほぼ１００パーセントを利用することができるので、出射光４０による表示の視認性が向上する。
［第８の実施の形態］
第１１図は、本発明の第８の実施の形態に係る自動販売機の表示装置を示す。この表示装置２０Ｈは、第１０図に示す第７の実施の形態に係る表示装置２０Ａでは、導光部材５１の内面を反射面として用いたのに対し、区画部材２７の内面を反射面２６ｃとして用いたものである。これによれば、光吸収部材３６による入射光４３の低減と相俟って、ＬＥＤ素子３５の出射光４０のコントラストを大きくすることができるので、出射光４０による表示が見やすくなる。
［第９の実施の形態］
第１２図は、本発明の第９の実施の形態に係る自動販売機の表示装置を示す。この表示装置２０Ｉは、プリント基板３２と、プリント基板３２上に設けられた反射鏡５５と、プリント基板３２上に設けられた光吸収部材３６と、反射鏡に搭載されたＬＥＤ素子３５と、各ＬＥＤ素子３５の発光光を区画し、発光光を反射する反射部材２６とを備える。
この第９の実施の形態によれば、ＬＥＤ素子３５の出射光４０を反射鏡５５により指向性を持たせることができるため、出射光４０のコントラストを上昇させることができるので出射光４０による表示が見やすくなる。
［第１０の実施の形態］
第１３図は、本発明の第１０の実施の形態に係る自動販売機の表示装置２０Ｊに用いられる拡散部材の配置を示す模式図であり、（ａ）は、反射部材２６内に凹む凹面に形成した拡散部材２５を示す図、（ｂ）は、垂直に配置した拡散部材２５を示す図、（ｃ）は、反射部材２６から外方に突出する凸面に形成した拡散部材２５を示す図である。反射部材２５は、透明な材質からなる透明部材、入射した光の反射を抑えた無反射部材とを組合わせてもよい。
第１３図（ａ）〜（ｃ）からわかるように、入射光４３は、拡散部材２５に対して十分に大きい角度で入射すれば、必ず拡散部材２５により一部が反射し、一部が内部に入射散乱光４５として入射する。内部に入射した入射散乱光４５は、図示しない光吸収部材により吸収される。
この第１０の実施の形態によれば、拡散部材２５を凹面または凸面に形成することにより、入射光４３を減少することができるため、入射光４３よりも出射光４０の光量の方が多くなるので、出射光４０のコントラストが上昇し、出射光４０による表示が見やすくなる。
［第１１の実施の形態］
第１４図は、本発明の第１１の実施の形態に係る自動販売機の表示装置２０Ｋに用いられる拡散部材２５の配置を示す模式図である。この表示装置２０Ｋは、プリント基板３２と、プリント基板３２に対して下方に傾斜して設けられている反射部材２６と、反射部材２６の開口側が鉛直に対して傾斜し、その開口に設けられた拡散部材２５とを有する。
この表示装置２０Ｋへの入射光４３は、拡散部材２５により一部が反射し、一部が内部に入射し、図示しない光吸収部材に吸収される。なお、入射角が小さい場合は、全反射して、内部に入射しない。
この第１１の実施の形態によれば、拡散部材２５が傾斜して設けられているとともに、反射部材２６を傾斜しているため、入射光４３の入射角を小さくすることができ、入射光４３は光吸収部材により吸収されるので、入射光４３を減少することができる。この結果、入射光４３よりも出射光４０の光量の方が多くなるので、出射光４０のコントラストが上昇し、出射光４０による表示が見やすくなる。
［第１２の実施の形態］
第１５図は、本発明の第１２の実施の形態に係る自動販売機の表示装置２０Ｌに用いられる拡散部材２５の配置を示す模式図である。この表示装置２０Ｌは、プリント基板３２と、プリント基板３２に対して下方に傾斜して設けられている反射部材２６と、反射部材２６に設けられ、その先端が鉛直方向に形成された拡散部材２５とを有する。
この表示装置２０Ｌへの入射光４３は、拡散部材２５により一部が反射し、一部が内部に入射する。内部に入射した光は、図示しない光吸収部材により吸収されるため、入射光４３よりも出射光４０の光量の方が多くなるので、出射光４０のコントラストが高くなる。
この第１２の実施の形態によれば、拡散部材２５を鉛直方向に形成するとともに、反射部材２６を傾斜しているため、入射光４３を減少することができるので、出射光４０のコントラストを上昇させ、出射光４０による表示が見やすくなる。
［第１３の実施の形態］
第１６図は、本発明の第１３の実施の形態に係る自動販売機の表示装置２０Ｍに用いられる拡散部材２５の配置を示す模式図である。この表示装置２０Ｍは、プリント基板３２と、プリント基板３２に対して直角に設けられている反射部材２６と、反射部材２６に設けられ、反射部材２６の先端に鉛直方向に形成された拡散部材２５と、反射部材２６の上方に接して形成され、拡散部材２５より前方に突出するルーバ２８とを有する。
この表示装置２０Ｍへの入射光４３は、拡散部材２５により一部が反射し、一部が内部に入射する。ただし、入射角が小さい場合は、全反射して、内部に入射しない。内部に入射した光は、図示しない光吸収部材により吸収されるため、出射光４０による表示が見やすくなる。
この第１２の実施の形態によれば、ルーバ２８を設けたため、入射光４３の拡散部材２５に当たる入射光４３の入射角度の範囲を減少することができるので、入射光を減少して、出射光４０のコントラストを上昇させ、出射光４０による表示が見やすくなる。
［第１４の実施の形態］
第１７図は、本発明の第１４の実施の形態に係る表示装置を示し、（ａ）は、拡大正面図、（ｂ）は、（ａ）のＣ−Ｃ線に沿う断面図である。この表示装置１００は、プリント基板３２と、プリント基板３２にマトリックス状に搭載された複数のＬＥＤ素子３５と、各ＬＥＤ素子３５の周囲を覆う光吸収部材３６と、各ＬＥＤ素子３５を区画する反射部材２６と、反射部材２６の開口側に設けられ、入射光の反射を抑えた無反射部材５４、透明部材５３、光を拡散する拡散部材２５とを備える。
この表示装置１００の動作を説明する。画像データに基づいてプリント基板３２の駆動回路がＬＥＤ素子３５を選択的に発光させると、発光光は、直接あるいは反射面２６ｅに反射しながら拡散部材２５に入射し、拡散部材２５により入射した光が分散され、透明部材５３および無反射部材５４を介して外部に出射する。一方、外部からの入射光４３は、無反射部材５４では外部に反射が抑えられて内部に進行する。進行した光は、拡散部材２５により拡散され、反射部材２６内を進行し、そのほとんどが光吸収部材３６に到達して吸収される。
この第１４の実施の形態によれば、入射部分での光の反射が抑えられ、光吸収部材３６により入射光の光量が減少させられ、さらにＬＥＤ素子３５により発光した発光光が拡散部材２５により均一に出射させられるため、出射光４０のコントラストが上昇するので、出射光４０による表示が見やすくなる。
［第１５の実施の形態］
第１８図は、本発明の第１５の実施の形態に係るバス行先表示装置を示す図であり、（ａ）は、バス全体の側面図、（ｂ）は、バスの正面の一部を示す正面図、（ｃ）は、バスの後面の一部を示す背面図、（ｄ）は、側面の一部を示す側面図である。このバス行先表示装置１００，１０１，１０２は、バスの正面ガラスの上部、後部ガラスの上部および側面入口付近に設けられる。バス行先表示装置１００〜１０２は、複数のＬＥＤ素子をマトリックス状に配置し、ＬＥＤ素子を点灯することにより文字、記号等を表示する表示部１００Ａ〜１０２Ａを有している。ここで、個々の表示装置１００〜１０２は、例えば、第１０図に示すようにＬＥＤ素子３５と、内面を反射面５１ａとする導光部材５１とを有している。そして第１６図に示すように、導光部材５１に接してルーバ２８を設けてもよい。
これらの文字、記号をバス行先表示装置１００〜１０２に表示させるには、図示しない入力装置により所定の文字の大きさ、書体、レイアウト等となるように表示データを図示しない制御部に入力し、その入力信号に基づいて制御部から表示部１００Ａ〜１０２Ａに駆動信号が出力され、表示部のＬＥＤ素子を点灯する。
この第１５の実施の形態によれば、入射部分での光の反射が抑えられ、光吸収部材により入射光の光量が減少させられ、さらにＬＥＤ素子により発光した発光光が拡散部材により均一に出射させられるため、出射光のコントラストが上昇するので、出射光による表示が見やすくなる。
［第１６の実施の形態］
第１９図は、本発明の第１６の実施の形態に係る表示板を示す断面図であり、第２０図は、表示板１１０を示し、（ａ）は、表示板１１０の正面図、（ｂ）は（ａ）のＤ−Ｄ線に沿う断面図である。この表示装置２０Ｎは、第１１図に示す第８の実施の形態に係る表示装置２０Ｈとは、光出射端側に表示板１１０および透明部材５３および異なる波長の光を発色するＬＥＤ素子３５Ａ，３５Ｂが設けられている点が相違する。
この表示板１１０は、合成樹脂からなる薄板により形成され、例えば、青色光を照射すると青色光を透過する青色部１１１Ａと、例えば、赤色光を照射すると赤色光を透過する赤色部１１０Ａと、青色光および赤色光をそのまま透過する透光部１１２と、青色部１１１Ａ、赤色部１１０Ａおよび透光部１１２以外の部分を黒色あるいは暗色に形成した基部１１３とを有している。
第２１図は、表示板１１０による表示例を示し、（ａ）は、ある色による表示例、（ｂ）は、他の色の光による表示例を示す正面図である。
この表示板１１０の作用を説明する。まず、ＬＥＤ素子３５Ａを点灯して、例えば、青色光を発光させる。青色光は、紙面の下方から青色部１１１Ａを照射して青色部１１１Ａを青色に発光させる。また、透光部１１２から青色を透過すると、第２１図（ａ）に示すように、透過する青色により表示される丸表示１１１Ｂが表れる。
また、ＬＥＤ素子３５Ｂを点灯して、例えば、赤色光を発光させる。赤色光は、紙面の下方から赤色部１１０Ａを照射して赤色部１１０Ａを赤色に発光させる。また、透光部１１２から赤色を透過すると、第２１図（ｂ）に示すように、透過する赤色により表示される×形の表示１１０Ｂが表れる。
ここで、青色光を発光した際に、青色光は赤色成分を含まない青色であるため、青色光を照射しても、赤色部１１０Ａは発光しない。同様に赤色光を発光して照射しても、赤色光は青色成分を含まないために、青色部１１１Ａは発光しない。そのため、青色のみあるいは赤色のみでの表示が可能となる。なお、単色光による複数の光、複数の色の光を混合した光による表示を行なってもよい。
本発明の第１６の実施の形態によれば、重ね合わせた文字あるいは記号を例えば、青色のみあるいは赤色のみでの表示をすることができるので、表示場所をコンパクトにすることができ、種々の記号、文字等を色を変えて表示することができる。
［その他の実施の形態］
なお、表示装置２０Ａ〜Ｎを選択ボタン２１の中に形成してもよい。このようにすることで、押ボタン２１ｂと表示板２２、２３、２４との距離がより接近するため、商品情報が分かりやすくなり、商品を誤選択することが減少する。
また、ＬＥＤ素子３３ａ、３４、３５の発光面以外の面、半田、配線パターン等は、光の反射を抑制するための処理が施してあってもよい。このようにすることで、入射光４３が反射して再び外部に出射する光の量を低減することができるため、各表示板２２、２３、２４の表示が見やすくなる。
また、発光光は、反射部材内を直接または反射しながら進行するが、導光部材を用い、導光部内を進行させてもよい。
複数のＬＥＤ素子を用いてその発光光を利用する場合、それぞれのＬＥＤ素子の発光光を利用してもよく、各ＬＥＤ素子の発光強度を変えることにより発光光の種類を代えることができる。このようにすることにより、多数の種類の発光光を利用することができる。
反射面は、蒸着のほか、メッキにより形成してもよい。また、白い成形品により形成したものであってもよい。ただし、成形した面で乱反射して、元の方向の光が戻らないことが条件となる。
無反射部材、透明部材、拡散部材は、それぞれ単体で使用しても、複数を組合わせて使用してもよい。この場合、無反射部材を最外側に配置することが好ましい。これにより入射光の反射を抑えることができるので、最外側の表面が見やすくなるからである。
上記の表示装置、特に７セグメントの表示装置は、家電製品用として、冷蔵庫、洗濯機、電子レンジ、炊飯器、時計、家庭用各種電気製品用リモコン等に、自動販売機用として、投入金額表示器、商品価格表示器等に使用でき、乗り物用として、タクシー金額表示器、バス料金表示器、その他、屋外時計、パーキング料金メータ、各種計測器、計量器、各種発券機、両替機、レジスタ、パチンコ台、スロット台、メダル貸し出しカウンタ等に用いることができる。
また、上記の表示装置は、バス行先表示機、電車行先表示機、屋外看板、屋内看板、矢印看板、交通信号、信号用方向指示器、電車踏切用表示機、自動販売機において、冷温表示、メッセージボード、販売、売切れ、準備中等の表示に使用することができる。
産業上の利用の可能性
以上説明したように、本発明によれば、入射した光は、光吸収部材により吸収されるため、入射した光が外部に出射する光が弱められるので、昼間でも視認性の高い表示を行うことができる。また、発光光が均一化されるため、発光光の視認性が高まる。
【図１】
2005013246.tif 000003
【図２】
2005013246.tif 000004
【図３】
2005013246.tif 000005
【図４】
2005013246.tif 000006
【図５】
2005013246.tif 000007
【図６】
2005013246.tif 000008
【図７】
2005013246.tif 000009
【図８】
2005013246.tif 000010
【図９】
2005013246.tif 000011
【図１０】
2005013246.tif 000012
【図１１】
2005013246.tif 000013
【図１２】
2005013246.tif 000014
【図１３】
2005013246.tif 000015
【図１４】
2005013246.tif 000016
【図１５】
2005013246.tif 000017
【図１６】
2005013246.tif 000018
【図１７】
2005013246.tif 000019
【図１８】
2005013246.tif 000020
【図１９】
2005013246.tif 000021
【図２０】
2005013246.tif 000022
【図２１】
2005013246.tif 000023
【国際調査報告】
2005013246.tif 000024
2005013246.tif 000025
2005013246.tif 000026
2005013246.tif 000027
2005013246.tif 000028
2005013246.tif 000029
2005013246.tif 000030
2005013246.tif 000031